【手続補正書】
【提出日】平成16年3月16日(2004.3.16)
【手続補正１】
【補正対象書類名】明細書
【補正対象項目名】特許請求の範囲
【補正方法】変更
【補正の内容】
【特許請求の範囲】
【請求項１】
縦続接続された遅延素子により基準クロックもしくはその分周信号を遅延させた複数の遅延信号を生成する遅延回路と、
前記遅延回路で生成されたそれぞれの遅延信号の遅延値を測定する遅延値測定回路と、
前記遅延値と立ち上がりタイミングデータとを参照して、前記立ち上がりタイミングデータに合致する前記遅延回路からの遅延信号を決定する立ち上がりタイミング演算回路と、
前記遅延値と立ち下がりタイミングデータとを参照して、前記立ち下がりタイミングデータに合致する前記遅延回路からの遅延信号を決定する立ち下がりタイミング演算回路と、
前記立ち上がりタイミング演算回路の決定に従って、前記遅延回路からの遅延信号のいずれかを立ち上がり信号として選択する立ち上がり選択回路と、
前記立ち下がりタイミング演算回路の決定に従って、前記遅延回路からの遅延信号のいずれかを立ち下がり信号として選択する立ち下がり選択回路と、
前記立ち上がり信号と前記立ち下がり信号とに応じてＰＷＭ信号を生成するＰＷＭ演算回路と、
を備えたことを特徴とするＰＷＭ回路。
【請求項２】
前記遅延回路の遅延素子よりも小さな遅延時間の遅延素子が縦続接続されており、前記立ち上がり信号を遅延させた複数の立ち上がり信号を生成する立ち上がり遅延回路と、
前記遅延回路の遅延素子よりも小さな遅延時間の遅延素子が縦続接続されており、前記立ち下がり信号を遅延させた複数の立ち下がり信号を生成する立ち下がり遅延回路と、
前記立ち上がりタイミング演算回路の決定に従って、前記立ち上がり遅延回路からの遅延信号を第２立ち上がり信号として選択する第２立ち上がり選択回路と、
前記立ち下がりタイミング演算回路の決定に従って、前記立ち下がり遅延回路からの遅延信号を第２立ち下がり信号として選択する第２立ち下がり選択回路と、
を備え、前記ＰＷＭ演算回路は、前記第２立ち上がり信号と前記第２立ち下がり信号とに応じてＰＷＭ信号を生成する、ことを特徴とする請求項１記載のＰＷＭ回路。
【請求項３】
１クロックのタイミング内で複数の立ち上がり信号と複数の立ち下がり信号とを生成し、これら複数の立ち上がり信号と複数の立ち下がり信号とに応じて、１クロックのタイミング内に複数回の立ち上がりと立ち下がりを有するＰＷＭ信号を生成する、ことを特徴とする請求項１または請求項２のいずれかに記載のＰＷＭ回路。
【請求項４】
前記遅延値測定回路は、前記遅延回路からの複数の遅延信号の出力にそれぞれフリップフロツプを接続し、前記遅延信号ののうち互いに隣り合う出力の論理が相異なる箇所を１カ所以上を検出する回路を設け、すべてのフリップフロツプのクロックは同一のクロックまたは同一の任意の信号を入力し、論理が相異なる箇所の値と前記クロックの動作周波数とから遅延値を算出する、ことを特徴とする請求項１乃至請求項３のいずれかに記載のＰＷＭ回路。
【請求項５】
縦続接続された遅延素子により基準クロックもしくはその分周信号を遅延させた複数の遅延信号を生成する遅延回路と、
前記遅延信号の遅延値と立ち上がりタイミングデータとを参照して、前記立ち上がりタイミングデータに合致する前記遅延回路からの遅延信号を決定する立ち上がりタイミング演算回路と、
前記遅延値と立ち下がりタイミングデータとを参照して、前記立ち下がりタイミングデータに合致する前記遅延回路からの遅延信号を決定する立ち下がりタイミング演算回路と、
前記立ち上がりタイミング演算回路の決定に従って、前記遅延回路からの遅延信号のいずれかを立ち上がり信号として選択する立ち上がり選択回路と、
前記立ち下がりタイミング演算回路の決定に従って、前記遅延回路からの遅延信号のいずれかを立ち下がり信号として選択する立ち下がり選択回路と、
前記立ち上がり信号と前記立ち下がり信号とに応じてＰＷＭ信号を生成するＰＷＭ演算回路と、を備え、
１クロックのタイミング内の複数の立ち上がり信号と１クロックのタイミング内の複数の立ち下がり信号とに応じて、１クロックのタイミング内に複数回の立ち上がりと複数回の立ち下がりを有するＰＷＭ信号を生成する、ことを特徴とするＰＷＭ回路。
【請求項６】
請求項１乃至請求項５のいずれかのＰＷＭ回路を備え、画像データに応じたＰＷＭ信号を生成して画像を形成する、ことを特徴とする画像形成装置。
【請求項７】
前記ＰＷＭ信号によって発光／非発光が制御されるレーザ光によって感光体上に像を形成する、ことを特徴とする請求項６記載の画像形成装置。
【手続補正２】
【補正対象書類名】明細書
【補正対象項目名】００１５
【補正方法】変更
【補正の内容】
【００１５】
（１）請求項１記載の発明は、縦続接続された遅延素子により基準クロックもしくはその分周信号を遅延させた複数の遅延信号を生成する遅延回路と、前記遅延回路で生成されたそれぞれの遅延信号の遅延値を測定する遅延値測定回路と、前記遅延値と立ち上がりタイミングデータとを参照して、前記立ち上がりタイミングデータに合致する前記遅延回路からの遅延信号を決定する立ち上がりタイミング演算回路と、前記遅延値と立ち下がりタイミングデータとを参照して、前記立ち下がりタイミングデータに合致する前記遅延回路からの遅延信号を決定する立ち下がりタイミング演算回路と、前記立ち上がりタイミング演算回路の決定に従って、前記遅延回路からの遅延信号のいずれかを立ち上がり信号として選択する立ち上がり選択回路と、前記立ち下がりタイミング演算回路の決定に従って、前記遅延回路からの遅延信号のいずれかを立ち下がり信号として選択する立ち下がり選択回路と、前記立ち上がり信号と前記立ち下がり信号とに応じてＰＷＭ信号を生成するＰＷＭ演算回路と、を備えたことを特徴とするＰＷＭ回路である。


【手続補正３】
【補正対象書類名】明細書
【補正対象項目名】００２４
【補正方法】変更
【補正の内容】
【００２４】
この発明では、以上の（１）〜（３）において正確なタイミングの立ち上がりや立ち下がりを実現することが可能になる。
（５）請求項５記載の発明は、縦続接続された遅延素子により基準クロックもしくはその分周信号を遅延させた複数の遅延信号を生成する遅延回路と、前記遅延信号の遅延値と立ち上がりタイミングデータとを参照して、前記立ち上がりタイミングデータに合致する前記遅延回路からの遅延信号を決定する立ち上がりタイミング演算回路と、前記遅延値と立ち下がりタイミングデータとを参照して、前記立ち下がりタイミングデータに合致する前記遅延回路からの遅延信号を決定する立ち下がりタイミング演算回路と、前記立ち上がりタイミング演算回路の決定に従って、前記遅延回路からの遅延信号のいずれかを立ち上がり信号として選択する立ち上がり選択回路と、前記立ち下がりタイミング演算回路の決定に従って、前記遅延回路からの遅延信号のいずれかを立ち下がり信号として選択する立ち下がり選択回路と、前記立ち上がり信号と前記立ち下がり信号とに応じてＰＷＭ信号を生成するＰＷＭ演算回路と、を備え、１クロックのタイミング内の複数の立ち上がり信号と１クロックのタイミング内の複数の立ち下がり信号とに応じて、１クロックのタイミング内に複数回の立ち上がりと複数回の立ち下がりを有するＰＷＭ信号を生成する、ことを特徴とするＰＷＭ回路である。
この発明では、基準クロックに対し、遅延信号に応じた任意の倍数の高い解像度が得られるＰＷＭ信号を生成することができる。また、基準クロックに対し、任意のタイミングで、立ち上がり、立ち下がるＰＷＭ信号を生成することが可能になる。さらに、基本クロックに対し、１クロック内に複数回、立ち上がり、立ち下がるＰＷＭ信号を生成することができる。
（６）請求項６記載の発明は、請求項１乃至請求項５のいずれかのＰＷＭ回路を備え、画像データに応じたＰＷＭ信号を生成して画像を形成する、ことを特徴とする画像形成装置である。


【手続補正４】
【補正対象書類名】明細書
【補正対象項目名】００２５
【補正方法】変更
【補正の内容】
【００２５】
この発明では、画像データに応じて画像形成を実行する際に、以上の（１）〜（５）のようなＰＷＭ信号を用いることが可能になる。このため、カラー画像形成を行う場合にも、ＰＷＭ信号の立ち上がりと立ち下がりの位置を高精度に制御することで、ジッタなどによる混色を防止することが可能になる。


【手続補正５】
【補正対象書類名】明細書
【補正対象項目名】００２６
【補正方法】変更
【補正の内容】
【００２６】
（７）請求項７記載の発明は、前記ＰＷＭ信号によって発光／非発光が制御されるレーザ光によって感光体上に像を形成する、ことを特徴とする請求項６記載の画像形成装置である。


【手続補正６】
【補正対象書類名】明細書
【補正対象項目名】００２７
【補正方法】変更
【補正の内容】
【００２７】
この発明では、画像データに応じてレーザ光を用いた画像形成を実行する際に、以上の（１）〜（５）のようなＰＷＭ信号を用いることが可能になる。このため、カラー画像形成を行う場合にも、ＰＷＭ信号の立ち上がりと立ち下がりの位置を高精度に制御することで、ジッタなどによる混色を防止することが可能になる。


【手続補正７】
【補正対象書類名】明細書
【補正対象項目名】００６９
【補正方法】変更
【補正の内容】
【００６９】
（１）請求項１記載の発明では、基準クロックに対して、遅延信号に応じた任意の倍数の高い解像度が得られるＰＷＭ信号を生成することができる。また、基準クロックに対し、任意のタイミングで、立ち上がり、立ち下がるＰＷＭ信号を生成することができる。


【手続補正８】
【補正対象書類名】明細書
【補正対象項目名】００７２
【補正方法】変更
【補正の内容】
【００７２】
（４）請求項４記載の発明では、以上の（１）〜（３）において正確なタイミングの立ち上がりや立ち下がりを実現することが可能になる。
（５）請求項５記載の発明では、基準クロックに対し、遅延信号に応じた任意の倍数の高い解像度が得られるＰＷＭ信号を生成することができる。また、基準クロックに対し、任意のタイミングで、立ち上がり、立ち下がるＰＷＭ信号を生成することが可能になる。さらに、基本クロックに対し、１クロック内に複数回、立ち上がり、立ち下がるＰＷＭ信号を生成することができる。
（６）請求項６記載の発明では、画像データに応じて画像形成を実行する際に、以上の（１）〜（５）のようなＰＷＭ信号を用いることが可能になる。このため、カラー画像形成を行う場合にも、ＰＷＭ信号の立ち上がりと立ち下がりの位置を高精度に制御することで、ジッタなどによる混色を防止することが可能になる。


【手続補正９】
【補正対象書類名】明細書
【補正対象項目名】００７３
【補正方法】変更
【補正の内容】
【００７３】
（７）請求項７記載の発明では、画像データに応じてレーザ光を用いた画像形成を実行する際に、以上の（１）〜（５）のようなＰＷＭ信号を用いることが可能になる。このため、カラー画像形成を行う場合にも、ＰＷＭ信号の立ち上がりと立ち下がりの位置を高精度に制御することで、ジッタなどによる混色を防止することが可能になる。